(57)【要約】      （修正有）【課題】主フレームに対し、副フレームを着脱可能に一体化する複合フレーム装置を提供する。【解決手段】左右両縦フレーム５の上下両端に連結ブロック１２を固着し、連結ブロックを上下フレーム６に嵌入することにより矩形に組み立てられる枠組体Ｐにおいて、少なくとも一の縦フレームは、前記連結ブロックを介することにより上下フレームと直接連結される主フレーム１ａと、それに室内側からの押し込みで着脱可能に一体化される副フレーム１ｂとからなる部分複合フレーム１。【選択図】図１
2012012874.tif 000002
【特許請求の範囲】
【請求項１】
左右両縦フレームの上下両端に連結ブロックを固着し、連結ブロックを上下フレームに嵌入することにより矩形に組み立てられる枠組体において、少なくとも一の縦フレームは、前記連結ブロックを介することにより上下フレームと直接連結される主フレームと、それに室内側からの押し込みで着脱可能に一体化される副フレームとからなる部分複合フレームであって、前記連結ブロックの基端部を主フレームの端面部基板として盤状に形成する一方、副フレームの上下両端に端面部基板の下にスライド可能に接合する結合ブロックを固着し、端面部基板には抜孔を設けるとともに、その室内側縁から室外側へ逃げ角にやゝ下向きに傾斜する弾性変形可能な逆止片を結合ブロックの押し入れを許容するように突設し、連結ブロックには、逆止片が下向きで嵌まる幅の凹部を設けるとともに、室内側にのみ開口する溝形にその凹部を形成し、凹部の開口より進んだ奥端に、主フレームに対する副フレームの嵌め込みにより逆止片の下向きの先端が一旦持ち上がってから落ち込むことにより、その先端に脱出不能に掛止する段差を設けてあって、さらに、この枠組体には、凹部にその室内側開口から差し込むことにより逆止片を段差から押し上げる板状であって、凹部の溝深さにほゞ等しい厚みのキーを付属して備えてあることを特徴とする枠組体における部分複合フレーム装置。
【請求項２】
枠組体は、ネットが開閉可能に張られる開閉網戸の枠体であって、サッシ窓枠にその中間に内向して突設される仕切壁に添えて嵌着されており、その枠組体の一端に設けられる部分複合フレームにおいて、主フレームと副フレームとが互いに重なるＬ字形断面であって、副フレームにはネットを巻取り／巻戻しする巻取軸が内装され、また、副フレームには巻取軸を封じる開閉カバーが開閉可能に軸支されていることを特徴とする開閉網戸の枠組体における部分複合フレーム装置。
【請求項３】
サッシ窓枠の縦枠に、室内側の端部において内向で外側へ凸の蟻溝を形成し、蟻溝に太ビスの頭部を納めることにより、建物躯体の木枠に蟻溝をねじ止めし、蟻溝の凸で木枠から縦枠が離反されたサッシ窓枠の取り付け方であって、その離反部分において主フレームが止ビスで縦枠に固着され、主フレームに室内側の先端に段差で持ち上げ状に係止片を形成し、副フレームには、その係止片の下に入るＬ字形断面の係合片を突設し、前記蟻溝にキャップ材が嵌着され、係止片がその外面に沿って脱出するように、縦枠と面一にキャップ材の嵌着がなされていることを特徴とする請求項２記載の開閉網戸の枠組体における部分複合フレーム装置。
【発明の詳細な説明】
【技術分野】
【０００１】
この発明は、アルミ等の押出形材からなる枠組体に関する。詳しくは、枠組みの少なくとも一のフレームが枠組みに直接関与している主フレームとそれに着脱可能に一体化されるフリーな副フレームとからなっている部分複合フレーム装置に関する。
【背景技術】
【０００２】
アルミ等の押出形材は、例えばサッシ窓枠、それに納まる障子や網戸等の建具をはじめとして様々な用途に枠組体として利用される。そして、一般的には、単一形状の押出形材により枠組みがなれるが、生産の合理化を図るために時には各フレームを異なる二つの押出形材の組合せとして複合される。しかし、従来これは二つの枠組体を合体することによるものであった。
【０００３】
従来のこのような複合化は、二つの押出形材を断面形状により係合させ枠組体どうしの一体化により一本として保持することから、矩形の全体の複合であって、部分複合ではなかった。例えば、サッシ窓枠についてみると、建物躯体の開口部に納まる主枠と、外へ張り出す突出枠との複合として複合化が実現されていた。したがって、枠組体の一フレームについて、例えば、縦フレームについて主フレームとフリーな副フレームとの複合化（この明細書では「分離可能な複合化」と称することにする）とすることはできなかった。
【発明の概要】
【発明が解決しようとする課題】
【０００４】
この出願人においては、枠組体の一のフレームについて「分離可能な複合化」とすることが非常に有利な場合があることに着眼した。つまり、分離できる自由となり得る副フレームに様々な機能性を持たせることの有利さの発見である。これを一つの例で次に述べてみる。
【０００５】
本出願人においては、ネットの開閉網戸を提供するために数多くの研究と実験を重ねてきた。その初期の段階では、一の縦フレーム（框）にネットの巻取り／巻戻し用の巻取軸を内装して、ネットを開くときには、それに巻き取ることにより縦フレームにネットを都合良く収納できるようにしていた。
【０００６】
この段階では、巻取軸が縦フレームの中に軸着されているから、ネットを掃除するために巻取軸を取り外すときには、縦フレームは枠組みのままにして巻取軸を単独に分離する必要があった。この軸の脱着操作は殊に高所では容易ではなかったが、重なる研究の末、副フレームに巻取軸を軸着することでネットの掃除がやりやすくなることわかってきた。
【０００７】
この発明は、上記の経緯で開発してきたもので、押出形材からなる枠組体において、一の又は一対のフレームについて、「分離可能な複合化」をなすとともに、主フレームと副フレームとの一体化が安定しており、しかも、副フレームの着脱が容易である枠組体における部分複合フレーム装置を提供することを課題とした。
【課題を解決するための手段】
【０００８】
上記の課題を解決するために、この発明は、左右両縦フレームの上下両端に連結ブロックを固着し、連結ブロックを上下フレームに嵌入することにより矩形に組み立てられる枠組体において、少なくとも一の縦フレームは、前記連結ブロックを介することにより上下フレームと直接連結される主フレームと、それに室内側からの押し込みで着脱可能に一体化される副フレームとからなる部分複合フレームであって、前記連結ブロックの基端部を主フレームの端面部基板として盤状に形成する一方、副フレームの上下両端に端面部基板の下にスライド可能に接合する結合ブロックを固着し、端面部基板には抜孔を設けるとともに、その室内側縁から室外側へ逃げ角にやゝ下向きに傾斜する弾性変形可能な逆止片を結合ブロックの押し入れを許容するように突設し、連結ブロックには、逆止片が下向きで嵌まる幅の凹部を設けるとともに、室内側にのみ開口する溝形にその凹部を形成し、凹部の開口より進んだ奥端に、主フレームに対する副フレームの嵌め込みにより逆止片の下向きの先端が一旦持ち上がってから落ち込むことにより、その先端に脱出不能に掛止する段差を設けてあって、さらに、この枠組体には、凹部にその室内側開口から差し込むことにより逆止片を段差から押し上げる板状であって、凹部の溝深さにほゞ等しい厚みのキーを付属して備えてあることを特徴とする枠組体における部分複合フレーム装置を提供する。
【０００９】
枠組体における部分複合フレーム装置を上記のように構成したから、主フレームに対する副フレームの一体化は、逆止片の先端に凹部の段差が掛かっていることにより引き出し不能にロック状態の安定性が確保され、また、キーを凹部に差し込み逆止片を段差から外して容易にロック解除できる。
【発明の効果】
【００１０】
以上説明したように、この発明は、押出形材からなる枠組体において、一の又は一対のフレームについて、「分離可能な複合化」をなすことに成功したもので、主フレームと副フレームとの一体化がロックにより安定しており、しかも、副フレームの着脱については、一体化するには副フレームを主フレームに押し込めばよく、また、外すときにはキーを凹部に差し込むだけでロック解除できるというように、操作性が極めて容易であるという優れた効果がある。
【００１１】
また、請求項２および３によれば、開閉網戸に実施してネットの掃除が極めて容易になる。
【図面の簡単な説明】
【００１２】
【図１】この発明の枠組体における部分複合フレーム装置を模式的に示す枠組体の正面図である。
【図２】この発明を開閉網戸に実施した一例を示すサッシ窓枠の横断面図である。
【図３】同縦断面図である。
【図４】図２についてこの発明の要部を拡大して示す横断面図であって、副フレームの分離状態を一点鎖線で示す説明図である。
【図５】この発明に係るロック固定装置を示す複合フレームの上端部の斜視図である。
【図６】同部を分離した状態で示す斜視図である。
【図７】ロック固定装置について示す、図５のＡ−Ａ線矢視位置においての断面図であって、（イ）図はロック状態を示し、（ロ）図は解除状態を示す。
【発明を実施するための形態】
【００１３】
この発明において、枠組体Ｐの一又は一対の縦フレーム１について、主フレーム１ａと副フレーム１ｂとからなる「分離可能な複合化」をなしたもので（図１）、それにロック固定装置４，４が構成される。以下では、開閉網戸の枠組体Ｐにおいて実施した例を示した。つまり、一の縦フレームが部分複合フレーム１であって、それが、枠組体Ｐの枠組みに直接係わる主フレーム１ａと、それに着脱可能に一体化（ドッキング）する副フレーム１ｂとからなるもので、副フレーム１ｂがネットＮの収納ケーシングとして使用される実施例である。
【００１４】
実施例の場合、副フレーム１ｂは、巻取軸３０でネットＮを収納する機能フレームであって、主フレーム１ａに対して安定してドッキング状態を保持するよう上下にロック固定装置４，４が装備され、キー５によりそれを解除できるようになっている。
【００１５】
しかしながら、この発明は、副フレーム１ｂをこの機能に限定されるものではなく、様々な機能を付与すべく開発が可能である。さらに、網戸ばかりでなく障子、さらにはサッシ窓枠においても何らかの機能を付与するために実施することが可能である。なお、ロック固定装置４は、上下両端に設けることは必ずしも要しなく、上端にのみ設けることもある。その場合は、下端を止める何らかの手段を設けることが望ましい。
【実施例１】
【００１６】
図２ないし図７は、この発明を開閉網戸に実施した場合を示し、その主体としての枠組体Ｐの一縦フレームが主フレーム１ａと副フレーム１ｂとからなる部分複合フレーム１となっている。つまり、枠組体Ｐは、主フレーム１ａと他方の縦フレーム５及び上下フレーム６，６とから枠組みされる。その枠組みの手法として、主フレーム１ａと縦フレーム５には各上下両端に連結ブロック１２，１２がビス止めして固着される。
【００１７】
また、副フレーム１ｂの上下両端には連結ブロック１２，１２に対する結合ブロック８，８が固着され、連結ブロック１２と結合ブロック８との関係においてロック固定装置４，４が構成される。これはキー５によりロックが解除される構造である。
【００１８】
開閉網戸の枠組体Ｐは、サッシ窓枠Ｗに嵌め殺し様に一体に固定してそれに嵌着される。一方、サッシ窓枠Ｗは、それぞれ同一押出形材からなる左右縦枠９，９及び上下枠１０，１０とからなり、外付けとして外へ半分が突出する幅であり、図示しない辷出障子が仕切壁１１よりも外側に装着される。２０は建物躯体の開口部木枠であり、それに太ビス１４によりサッシ窓枠Ｗが固定される。１６は外壁である。
【００１９】
サッシ窓枠Ｗの縦枠１８は、室内側の端部において、枠外側への段差１３を設けるととともに、段差１３で低くなった位置にさらに低く凹部となる蟻溝１５が設けられ、蟻溝１５に太ビス１４の頭部が納められる。これでビス１４が頭を没して木枠２０に螺入されることで、副フレーム１ｂの引き出しにビス１４が支承となっていない。また、蟻溝１５には、キャップ材１７が嵌着され、これが縦枠１８とその内面で面一であるので、副フレーム１ｂはストレートに主フレーム１ａから引き出すことができる。しかし、サッシ窓枠Ｗの各隅角にＬ字形のコーナー化粧部材１９が被着されており、その厚みが面一よりも突出しているから、副フレーム１ｂの操作時にはこのコーナー化粧部材１９は取り外される。
【００２０】
開閉網戸は、枠組体Ｐの中にネットＮが開閉可能に張られ、スプリングの弾力に抗して一方の縦フレーム５側へ引き（磁石で自動的に止められる）、スプリングの弾力で巻取軸３０に巻き取られるように、ネットＮの端にスライド取っ手２６が取り付けられ、上下フレーム６，６にスライダー２８，２８でスライド可能に係合している。また、ネットＮを巻き取る側の主フレーム１ａには、副フレーム１ｂが着脱可能に組み込まれているが、開き口を常時封じておくために、これには開閉カバー２７が軸支される。副フレーム１ｂに内装される巻取軸３０には、ネットＮが巻き取られるように、主フレーム１ａと副フレーム１ｂは、その方向へ開口する断面Ｌ字形の形状となっている。
【００２１】
主フレーム１ａは、サッシ窓枠Ｗの縦枠１８の板状部分と仕切壁１１との間に安定して丁度納まるＬ字形の形材であって、板状部分に沿った室内側端には傾斜した段差により縦枠１８から持ち上がる係止片２９が形成され、係止片２９とその近くに形成した突起３１との間が止ビス３３の頭部が納まる皿溝３５として形成される。また、Ｌ字形の隅角と、仕切壁１１に接合する部分の先端とにビスポケット３８，３８を設けてある。この主フレーム１ａは、木枠１４との離反箇所でそれに突き当たることなく前記止ビス３３を縦枠１８に深く螺入することにより強固に固定される。
【００２２】
主フレーム１ａの上下両端にある連結ブロック１２，１２は、主フレーム１ａの上下両端に嵌着される端面部基板１２ａと、上下フレーム６，６に嵌入される挿入片１２ｂとがプラスチックで一体成形されたもので、端面部基板１２ａが前記ビスポケット３８，３８に螺入するビス３８ａ，３８ａにより主フレーム１ａに固定される。また、挿入片１２ｂには逆止爪４１が突設されているので、これを上下フレーム６，６に嵌入すると、逆止爪４１の掛かりで離脱不能に結合される。
【００２３】
主フレーム１ａに対しては、その両端面部基板１２ａ，１２ａの間に副フレーム１ｂが差し込まれることで複合して組み付けられる。このロック状態を確保するために、ロック固定装置４，４が構成されるが、その構成の一つとして、端面部基板１２ａに抜孔４４を設けるとともに、その縁から逆止片４５が室外側へ向けて少し傾斜して突設される。この逆止片４５は、弾性により上に変形可能であって抜孔４４がこの変形を受け入れる。このロック構造についてはさらに後記する。
【００２４】
副フレーム１ｂは、主フレーム１ａの内側に沿ってほゞＬ字形に形成された形材であるが、上下両端が結合ブロック８，８で封じられており、室内側の先端に開閉カバー２７の支軸４２がビスポケット形に形成され、Ｌ字形の内角部と枠側先端にビスポケット４８，４８が設けられる。連結ブロック１２，１２は、ビス４８ａ，４８ａにより副フレーム１ｂに止められる。また、側面には主フレーム１ａの係止片２９の下に入るＬ字形の係合片５０が突設される。主フレーム１ａに対して副フレーム１ｂは、係止片２９との結合の他、ビスポケット３８，４８との圧接結合によっても保持される。
【００２５】
開閉カバー２７は、副フレーム１ｂの開閉口を開閉するように断面Ｌ字形の形材であって、その一端に主フレーム１ａの支軸４５に嵌まるビスポケット形の軸受部４６が形成される。
【００２６】
なお、上下結合ブロック８，８の間において巻取軸３０が図示しないコイルスプリングにより巻き方向に回転付勢されており、これについては、巻取軸３０のコイルスプリングの弾発力を調整する装置が装備される。４９がドライバー操作可能なその調整摘みである。
【００２７】
ロック固定装置４，４については、結合ブロック８，８の上面に、端面部基板１２ａ，１２ａの前記の逆止片４５，４５が弾力で落ち込むように、それと同じ程度の溝幅の凹部４７を設けるとともに、それを室内側に開口する幅広い溝形に形成してある。そこで、主フレーム１ａに副フレーム１ｂを押し込むと、逆止片４５が弾力に抗して持ち上げられるが、そのとき一旦抜孔４４に入ってから復帰することで凹部４７の段差４７ａに引っ掛かる。その引っ掛かりで副フレーム１ｂが抜けないロック状態となる（図５，図７（イ））。しかし、板状キー５１を凹部４７に差し込むと、それが逆止片４５を抜孔４４へ持ち上げ、これで逆止片４５の先から段差４７ａがはずれるので、ロック状態が解除され（図７（ロ））、こうして副フレーム１ｂを取り外すことができる（図６）。なお、キー５を差し込みやすく、凹部４７の底面には少し傾斜がかけられている。
【００２８】
図４は、副フレーム１ｂの組み付け状態を実線で、取り外した状態を二点鎖線で示したものである。スライド取っ手２６は、この取り外しに応じるようになっている。つまり、スライダー２８，２８が連結ブロック１２，１２の挿入片１２ｂ，１２ｂの下を通り抜け、主フレーム１ａからも外れ、副フレーム１ｂとコンパクトに並列になり（図４）、これでネットＮやスライド取っ手２６が一端に集合する。
【００２９】
サッシ窓枠Ｗについて、前記した仕切壁１１は、左右縦枠９，９と上枠１０に突設されるが、下枠１０については、開閉網戸を受ける逆Ｌ字形の受部片１４が突設される。そして、受部片１４には、辷出障子を開閉するハンドル５２が取り付けられる。
【符号の説明】
【００３０】
Ｐ  枠組体
Ｗ  サッシ窓枠
Ｎ  ネット
１  部分複合フレーム（縦フレーム）
１ａ  主フレーム
１ｂ  副フレーム
５  縦フレーム
６  上下フレーム
８  結合ブロック
１１  仕切壁
１２  連結ブロック
１２ａ  端面部基板
１４  太ビス
１５  蟻溝
１７  キャップ材
１８  縦枠
２７  開閉カバー
２９  係止片
３０  巻取軸
３３  止ビス
４３  スライドキャップ
４４  抜孔
４５  逆止片
４７  凹部
４７ａ  段差
５０  係合片
５１  キー
【図１】
2012012874.tif 000003
【図２】
2012012874.tif 000004
【図３】
2012012874.tif 000005
【図４】
2012012874.tif 000006
【図５】
2012012874.tif 000007
【図６】
2012012874.tif 000008
【図７】
2012012874.tif 000009